(57)【要約】      （修正有）【課題】エレベータのかご床の高さ方向厚さを薄くするエレベータのかご床装置を提供する。【解決手段】エレベータのかご床面を支えるかご床枠２と、かご床枠を弾性体８を介して支持するかご床支持枠３と、を備えたエレベータのかご床装置において、弾性体をかご床支持枠の下部に取り付ける取り付け部材と、一端が弾性体に連結されると共に、他端がかご床枠に連結され、かご床枠とかご床支持枠間に所定間隙を形成する連結体と、を備える。【選択図】図１
2007308290.tif 000002
【特許請求の範囲】
【請求項１】
エレベータのかご床面を支えるかご床枠と、上記かご床枠を弾性体を介して支持するかご床支持枠と、を備えたエレベータのかご床装置において、
上記弾性体を上記かご床支持枠の下部に配置したことを特徴とするエレベータのかご床装置。
【請求項２】
エレベータのかご床面を支えるかご床枠と、上記かご床枠を弾性体を介して支持するかご床支持枠と、を備えたエレベータのかご床装置において、
上記弾性体を上記かご床支持枠の下部に取り付ける取り付け部材と、
一端が上記弾性体に連結されると共に、他端が上記かご床枠に連結され、上記かご床枠と上記かご床支持枠間に所定間隙を形成する連結体と、を備えたことを特徴とするエレベータのかご床装置。
【請求項３】
上記かご床支持枠に穴を形成し、この穴に上記連結体を挿通させることを特徴とする請求項２記載のエレベータのかご床装置。
【請求項４】
上記連結体の上記かご床枠との連結部を少なくともねじ部で構成すると共に、中央部の少なくとも一部を角形状に構成したことを特徴とする請求項２または請求項３記載のエレベータのかご床装置。
【発明の詳細な説明】
【技術分野】
【０００１】
この発明は、エレベータのかご床装置に係り、特に、かご床面を支えるかご床枠と、このかご床枠を支持するかご床支持枠間に設けられる弾性体の設置位置を考慮したエレベータのかご床装置に関するものである。
【背景技術】
【０００２】
従来、かご床支持枠に防振ゴムにより支持されたかご床を有するかごが、乗り場に停止したときにかご床面と乗り場床面との間の段差が生じないようにしたエレベータのかご装置が提案されている（例えば、特許文献１参照）。
【０００３】
また、かご枠の下枠に載置固定されるかご床支持枠と、このかご床支持枠の上部に複数の弾性体を介して支持されるかご床枠とを備えたエレベータのかご床装置が提案されている（例えば、特許文献２参照）。
【０００４】
【特許文献１】特開２００１−３０２１２９号公報（段落０００６〜０００７、図１及び図２）
【特許文献２】特開２００２−３６２８５７号公報（段落０００５〜０００６、図１）
【発明の開示】
【発明が解決しようとする課題】
【０００５】
この特許文献１あるいは特許文献２に開示された技術は、かご床支持枠とかご床との間に弾性体である防振ゴムを配設し、かごの昇降時の振動がかご室に伝わらないようにして、かごの昇降動作を平静化して乗客に不快感を与えないようにしたものである。しかし、いずれの技術もかご床枠とかご床支持枠との間に防振ゴムを設置したもので、かご床支持枠からかご床面までのかご床厚さに防振ゴムの高さ分の隙間が必要であるため、かご床を薄くするのに限界があった。
【０００６】
この発明は、上記のような課題を解決するためになされたもので、エレベータのかご床の高さ方向厚さを薄くするエレベータのかご床装置を提供するものである。
【課題を解決するための手段】
【０００７】
この発明に係るエレベータのかご床装置は、エレベータのかご床面を支えるかご床枠と、上記かご床枠を弾性体を介して支持するかご床支持枠と、を備えたエレベータのかご床装置において、上記弾性体を上記かご床支持枠の下部に配置したことを特徴とするものである。
【発明の効果】
【０００８】
この発明によれば、かご床枠とかご床支持枠との間に設けられる弾性体の設置位置を、かご床支持枠の下部にすることにより、防振効果を得た上でエレベータのかご床の高さ方向厚さを薄くできるエレベータのかご床装置を得ることができる。
【発明を実施するための最良の形態】
【０００９】
以下、添付図面を参照しながらこの発明に係るエレベータのかご床装置の好適な実施の形態を説明する。
【００１０】
実施の形態１．
図１はこの発明の実施の形態１に係るエレベータのかご床装置を説明するもので、かご床部分のみを図示し、かごを構成する他の部分は省略されている。この図において、乗客等の乗るかご床面１はかご床枠２により支えられており、かご床枠２は後述するように、かご床枠２の下部に設置されるかご床支持枠３により支持されている。
【００１１】
かご床支持枠３の下部には、非常止め装置４とこの非常止め装置４を収納する下枠５が取り付けられている。即ち、非常止め装置４と非常止め装置４を収納する下枠５が、かご床支持枠３の下方に突出して設けられている。
【００１２】
図２は図１に示すエレベータのかご床装置の要部を拡大して示す図である。この図２において、かご床支持枠３の下部、即ち、非常止め装置４と非常止め装置４を収納する下枠５が突出することにより形成されるかご床支持枠３の下部空間には、取り付け部材、例えば、横断面がコ字形状に形成された鋼板等からなる取り付け金６が配置され、この取り付け金６がかご床支持枠３にねじ７Ａ〜７Ｄにより取り付けられている。即ち、かご床支持枠３と取り付け金６は、ねじ７Ａ〜７Ｄにより一体化されている。
【００１３】
取り付け金６のコ字形状空間内には、弾性体、例えば防振ゴム８が載置され、この防振ゴム８の下面フランジ部８Ａが取り付け金６に当接し、ねじ７Ｂ、７Ｄにより固定されている。この防振ゴム８は、かごの昇降時の振動がかご室に伝わらないようにかごの昇降動作を平静化し、乗客に不快感を与えないようにしたものであるが、その防振作用については後述する。
【００１４】
防振ゴム８の上面フランジ部８Ｂは、防振ゴム８に溶接固定されたナット９に端部小径部に形成されたねじ部が螺合する連結体、例えば、ねじ棒１０に連結され、固定される。この構成により、取り付け金６と防振ゴム８、およびねじ棒１０が一体化されている。ねじ棒１０の他端部も小径部が形成され、この小径部にねじ部が形成されており、このねじ部をかご床枠２に形成された穴１１に貫通させてナット１２を螺合することにより、かご床枠２とかご床支持枠３との間に所定間隔Ｌを形成してねじ棒１０とかご床枠２が結合される。
【００１５】
ねじ棒１０の端部に形成されるねじ部とねじ部との間の中央部は、六角柱状または四角柱状に形成されており、例えばスパナのような工具で、中央部を回転させることができるように構成されている。また、ねじ棒１０の六角柱状または四角柱状部分が挿通する直径を有する穴１３をかご床支持枠３に形成することにより、ねじ棒９の六角柱状または四角柱状部分が、かご床支持枠３を貫通するように構成されている。
【００１６】
以上の構成によって、乗客等の乗るかご床面１は、かご床枠２から連結棒１０、防振ゴム８、取り付け金６を介してかご床支持枠３に結合され、かご床面１とかご床支持枠３との間に防振ゴム７が介在される構成になるので、かごの昇降時の振動がかご室に伝わらないようにかごの昇降動作を平静化し、乗客に不快感を与えない防振効果が得られる。
【００１７】
また、防振ゴム８に大荷重が作用するのを防ぐために、図１に示すように、ねじ７Ｃの先端とかご床枠２との間隔αが必要であり、この間隔αはねじ７Ｃの進退により調節される。ねじ棒１０の六角柱状または四角柱状部分を回転させることにより、図２中にＬで示すかご床枠２とかご床支持枠３との間隔を調節することができるので、かご床枠２とかご床支持枠３との高さ方向距離は、防振ゴム７の高さと無関係となり、ねじ７Ｃの先端とかご床枠２との間隔αが調節できる隙間があればよい。
【００１８】
次に、かご床面１の水平出しの方法について説明する。防振ゴム８に溶接固定されたナット９により、ねじ棒１０をスパナ等の工具により緩めると、ねじ棒１０と防振ゴム８の上面フランジ８Ｂ間に隙間ができる。この隙間にハサミ金１４を挿入することによりかご床面１の床面高さを調節することができ、床面の水平出しを容易に行うことができる。
【００１９】
以上のように、実施の形態１によれば、かご床枠２とかご床支持枠３との間に設けられる防振ゴム８の設置位置を、かご床支持枠３の下部にすることにより、かご床支持枠３からかご床面１までのかご床の高さ方向厚さが薄いエレベータのかご床装置を得ることができる。
【００２０】
実施の形態２．
図３はこの発明の実施の形態２を説明する図である。この図３は、図１のＡ−Ａ線方向からの側面を模式的に表した図である。この図において、実施の形態１と同一符号は同一または相当部分を示し、ねじ棒１０を挿通させるかご床支持枠３の穴１３は、水平方向にかご床面１が振れた場合の振れ止め手段となる。即ち、水平方向にかご床面１が振れた場合に、ねじ棒１０とかご床支持枠３の穴１３が接触することになるが、穴１３のサイズを調節することにより、水平方向の振れ止め機能を備えることになる。これにより、従来、別途設けられていた振れ止め装置が、かご床枠２とかご床支持枠３との間に防振ゴム８を設けるねじ棒１０の取り付け手段と併用されることになり、省スペース、及び部品点数の削減に繋がる。
【００２１】
以上のように、実施の形態２によれば、実施の形態１の効果に加え、省スペース及び部品点数の削減効果を奏するエレベータのかご床装置を得ることができる。
【００２２】
上記各実施の形態においては、弾性体として防振ゴム例示して説明したが、ばね等の弾性力を有するものであればよい。また、取り付け部材として横断面がコ字形状に形成された鋼板等からなる取り付け金６を用いているが、弾性体が取り付けられれば如何なる形状であってもよい。さらに、連結体として中央部が六角柱状または四角柱状で、両端部にねじ部が形成されたねじ棒を例示して説明したが、中央部の少なくとも一部がスパナ等の工具で回転させ得る形状であればよく、端部に形成されるねじ部についても、かご床枠との連結部がねじ部であれば、両端をねじ部にする必要がない等、この発明の技術思想の範囲内において、実施の形態は適宜変更され得ることは明らかである。
【産業上の利用可能性】
【００２３】
この発明に係るエレベータのかご床装置は、かご床の薄型化が要求されるエレベータに利用できる。
【図面の簡単な説明】
【００２４】
【図１】この発明の実施の形態１に係るエレベータのかご床装置を説明する図である。
【図２】図１に示すエレベータのかご床装置の要部を拡大して示す図である。
【図３】この発明の実施の形態２に係るエレベータのかご床装置の要部を拡大して示す模式図で、図１のＡ−Ａ線方向からの側面図である。
【符号の説明】
【００２５】
１  かご床面                        ２  かご床枠
３  かご床支持枠                    ４  非常止め装置
５  下枠                            ６  取り付け金
７Ａ〜７Ｄ  ねじ                    ８  防振ゴム
９、１２  ナット                  １０  ねじ棒
１１、１３  穴                    １４  ハサミ金
【図１】
2007308290.tif 000003
【図２】
2007308290.tif 000004
【図３】
2007308290.tif 000005